(57)【特許請求の範囲】
【請求項１】
便器脇の壁面に設けられたカウンターとそれよりも下方であって床面よりも上方の高さ位置に設けられた底板との間を収納空間部とし、
該収納空間部内は、正面側から見て左右一方の側を開閉可能な収納部とし、もう一方の側を閉め切り収納部として左右方向の中間部を仕切られ、
前記閉め切り収納部内に、トイレ内に設けられる健康計測機器類のケーブルを接続するコンセントと、該コンセントに接続されたケーブル類が収納されると共に、
前記開閉可能な収納部内に、無線式の血圧計が収納され、
開閉可能な収納部と閉め切り収納部とを正面側から同時に閉じた状態にすることができるサイズの一枚の引き戸板が、その上端側をカウンター側に、下端側を底板側に係合保持させて左右方向に移動できるように備えられていると共に、前記引き戸板の移動範囲を規制するストッパーが備えられ、
開閉可能な収納部の側から閉め切り収納部の側への前記引き戸板の移動中における前記ストッパーによる停止によって、開閉可能な収納部が開、閉め切り収納部が閉のまま、閉め切り収納部の側から開閉可能な収納部の側への前記引き戸板の移動中における前記ストッパーによる停止によって、開閉可能な収納部が閉、閉め切り収納部が閉のままとなるようにされており、かつ、
前記引き戸板は、手前側に取り外せるようになされていて、取り外すことにより、閉め切り収納部を正面側に開放することができるようになされていることを特徴とする、健康計測機能を備えたトイレにおける便器脇カウンター下の収納構造。
【請求項２】
前記開閉可能な収納部が便器の前後方向における前側、閉め切り収納部が後側に隣り合って備えられると共に、前側の開閉可能な収納部よりも前側に隣り合って、紙巻器が備えられている請求項１に記載の、健康計測機能を備えたトイレにおける便器脇カウンター下の収納構造。
【請求項３】
前記底板の正面側の上面部に下レール部が設けられると共に、カウンターの正面側の下面部に上レール部が設けられ、引き戸板は、その下端側に下レール部係合部を備えると共に、上端側に上レール部係合部を備え、下レール部係合部が下レール部に、上レール部係合部が上レール部に係合された状態で、左右方向に移動するようになされており、かつ、
前記引き戸板にはバネが備えられ、上レール部係合部は、バネの付勢力に抗して下方に変位することができるように、引き戸板の上端部から上方に突出して備えられ、
上下のレール部と係合されている引き戸板を上昇変位させることにより、前記上レール部係合部が上レール部に押されてバネの付勢力に抗して下方に変位をして下レール部係合部と下レール部との係合が解除され、その状態で、引き戸板を、上レール部係合部と上レール部との係合部を中心に手前側に回動させ、そして、下方に引くことにより、上レール部係合部と上レール部との係合が解除されて引き戸板が取り外されるようになされている請求項１又は２に記載の、健康計測機能を備えたトイレにおける便器脇カウンター下の収納構造。
【発明の詳細な説明】
【技術分野】
【０００１】
本発明は、健康計測機能を備えたトイレにおける便器脇カウンター下の収納構造に関する。
【背景技術】
【０００２】
トイレに、体重計や、血圧計、尿糖計等の健康計測機器類が備えられ、トイレで、体重、血圧、尿糖等の計測を行い、その計測結果を表示すると共に管理を行うようになされた、健康計測機能を備えたトイレは、従来より提供されている。
【特許文献１】特開２００６−２７１４０８号公報
【発明の開示】
【発明が解決しようとする課題】
【０００３】
しかしながら、従来の健康計測機能付きトイレでは、各計測機器からのケーブル類を接続するコンセント等の接続部や接続されたケーブル類、ハブ等を、トイレ内に設置した手洗い場の下の収納部内に収納する構造としているため、手洗い場の下を一般的な収納に使用することができず、また、手洗い場とその下の収納を省略することができないという問題があった。
【０００４】
また、血圧計は有線式で、便器脇のカウンター下に設けられた上開き式開き戸の内面部を収納部としており、そのため、無線式の血圧計を同様に上開き式開き戸の内面部に収納すると、該開き戸を開いた際に、血圧計が、勢いで転げ落ち、無線式であるがゆえに、便器の中あるいは床面に落下して、水没したり、衝撃を与えてしまったりするという問題がある。
【０００５】
本発明は、上記のような問題点に鑑み、健康計測機能を備えたトイレにおいて、健康計測機器類からのケーブル類を隠蔽状態に収納することができながら、必要に応じて隠蔽されているケーブル類にアクセスすることができ、しかも、手洗い場の下を一般的な収納に不都合なく使用することができるか、又は、手洗い場とその下の収納を省略することができ、加えて、無線式の血圧計が便器内や床面に落下してしまうのを防ぐことができるようにすることを課題とする。
【課題を解決するための手段】
【０００６】
上記の課題は、便器脇の壁面に設けられたカウンターとそれよりも下方であって床面よりも上方の高さ位置に設けられた底板との間を収納空間部とし、
該収納空間部内は、正面側から見て左右一方の側を開閉可能な収納部とし、もう一方の側を閉め切り収納部とするように左右方向の中間部を仕切られ、
前記閉め切り収納部内に、トイレ内に設けられる健康計測機器類のケーブルを接続するコンセントと、該コンセントに接続されたケーブル類が収納されると共に、
前記開閉可能な収納部内に、無線式の血圧計が収納され、
開閉可能な収納部と閉め切り収納部とを正面側から同時に閉じた状態にすることができるサイズの一枚の引き戸板が、その上端側をカウンター側に、下端側を底板側に係合保持させて左右方向に移動できるように備えられていると共に、前記引き戸板の移動範囲を規制するストッパーが備えられ、
開閉可能な収納部の側から閉め切り収納部の側への前記引き戸板の移動中における前記ストッパーによる停止によって、開閉可能な収納部が開、閉め切り収納部が閉のまま、閉め切り収納部の側から開閉可能な収納部の側への前記引き戸板の移動中における前記ストッパーによる停止によって、開閉可能な収納部が閉、閉め切り収納部が閉のままとなるようにされており、かつ、
前記引き戸板は、手前側に取り外せるようになされていて、取り外すことにより、閉め切り収納部を正面側に開放することができるようになされていることを特徴とする、健康計測機能を備えたトイレにおける便器脇カウンター下の収納構造によって解決される（第１発明）。
【０００７】
この構造では、便器脇のカウンターと底板との間の閉め切り収納部内に健康計測機器類からのケーブル類を接続するコンセントや、接続されたケーブル類が収納され、該閉め切り収納部はその正面側が引き戸板によって閉じられているので、健康計測機器類からのケーブル類やコンセントを隠蔽状態に収納することができ、従ってまた、手洗い場の下を一般的な収納に不都合なく使用することが可能になり、又は、手洗い場とその下の収納を省略することも可能になる。
【０００８】
しかも、引き戸板とストッパーとの作用により、開閉可能な収納部に対する開閉操作において、閉め切り収納部の正面側が開いてしまうことがなく、閉め切り収納部内のケーブル類等が外に露出してしまうのを防いで、隠蔽状態を確実なものにすることができる。
【０００９】
加えて、開閉可能な収納部は引き戸板で開閉されるようになされて、血圧計は開閉可能な収納部内に収納されているから、開閉可能な収納部を開けるために引き戸板を左右方向に動しても、その動かす勢いで内部の血圧計が外に転げ出るということがなく、無線式の血圧計を収納するものでありながら、便器内への落下による水没や、床面への落下による衝撃で故障や損傷してしまうのを防ぐことができる。
【００１０】
更に、引き戸板は、手前側に取り外せるようになされていて、取り外すことにより、閉め切り収納部の正面側を開放することができるようになされているので、メンテナンスや修理の際は、引き戸板を手前側に取り外して閉め切り収納部を開き、コンセントや接続部、ケーブル類に対するメンテナンスや修理を行うことができる。
【００１１】
特に、引き戸板が開閉可能な収納部と閉め切り収納部とを同時に閉じた状態にすることができるサイズに設計されていて、収納部の外観をスッキリとしたものにすることができるなかで、手前側に取り外せるようになっているので、閉め切り収納部を開くために引き戸板を左右方向に大きく移動させる必要がなく、閉め切り収納部を小スペースにて開閉することができる。
【００１２】
第１発明において、前記開閉可能な収納部が便器の前後方向における前側、閉め切り収納部が後側に隣り合って備えられると共に、前側の開閉可能な収納部よりも前側に隣り合って、紙巻器が備えられているとよい（第２発明）。
【００１３】
この場合は、開閉可能な収納部に対する血圧計の出し入れを容易に行うことができると共に、紙巻器からのトイレットペーパーの引出し操作も容易にすることができる。
【００１４】
第１，第２発明において、前記底板の正面側の上面部に下レール部が設けられると共に、カウンターの正面側の下面部に上レール部が設けられ、引き戸板は、その下端側に下レール部係合部を備えると共に、上端側に上レール部係合部を備え、下レール部係合部が下レール部に、上レール部係合部が上レール部に係合された状態で、左右方向に移動するようになされており、かつ、
前記引き戸板にはバネが備えられ、上レール部係合部は、バネの付勢力に抗して下方に変位することができるように、引き戸板の上端部から上方に突出して備えられ、
上下のレール部と係合されている引き戸板を上昇変位させることにより、前記上レール部係合部が上レール部に押されてバネの付勢力に抗して下方に変位をして下レール部係合部と下レール部との係合が解除され、その状態で、引き戸板を、上レール部係合部と上レール部との係合部を中心に手前側に回動させ、そして、下方に引くことにより、上レール部係合部と上レール部との係合が解除されて引き戸板が取り外されるようになされているとよい（第３発明）。
【００１５】
この場合は、引き戸板の上端部に、バネの付勢力に抗して下方に変位することのできる上レール部係合部が上方突出状態に備えられていることにより、引き戸板を上下方向へのガタツキを抑制した取付け状態にすることができて、左右方向への引き戸板の移動をスムーズなものにすることができると共に、引き戸板の不本意な外れも確実性高く防ぐことができる。
【発明の効果】
【００１６】
本発明は、以上のとおりのものであるから、健康計測機能を備えたトイレにおいて、健康計測機器類からのケーブル類を隠蔽状態に収納することができながら、必要に応じて隠蔽されているケーブル類にアクセスすることができ、しかも、手洗い場の下を一般的な収納に不都合なく使用することができるか、又は、手洗い場とその下の収納を省略することができ、加えて、無線式の血圧計が便器内や床面に落下してしまうのを防ぐことができる。
【発明を実施するための最良の形態】
【００１７】
次に、本発明の実施最良形態を図面に基づいて説明する。
【００１８】
図５に示す実施形態の健康計測機能を備えたトイレにおいて、１は便器であり、便器１よりも前方の壁面には手洗い場２が設けられ、該手洗い場２の下には収納部３が設けられ、その手前側の床面には体重計４が埋込み状態に設けられている。また、便器１の背後のキャビネット５内には尿糖計測器６が設置され、便器１に備えられた尿採取器６ａに尿が採取されると、その尿の尿糖値が計測されるようになされている。
【００１９】
そして、便器１の脇の壁面にはカウンター７が設けられ、カウンター７の上方の壁面には、操作部や血圧受信部、集中ハブ機能等を備えた計測値表示パネル８が取り付けられる一方、カウンター７の下の空間部には、便器１の前後方向における前側に位置して、図１及び図２に示すように、紙巻器９が設置されると共に、後側には、カウンター７よりも下方であって床面１０よりも上方の高さ位置に底板１１が設けられ、カウンター７の下に収納空間部が形成されている。
【００２０】
該収納空間部は、正面側から見て左右方向の中間部及び両側部に仕切り１２…が設けられ、向かって左側、即ち紙巻器９のある側の空間部を開閉可能な収納部１３とし、向かって右側の空間部を閉め切り収納部１４とし、閉め切り収納部１４内には、その内部の奥壁面部に、トイレ内に設けられた健康計測機器類４，６，８，１６…からのケーブル類を接続するコンセント１５が設けられると共に、該コンセント１５に接続されるケーブル類が収納され、また、開閉可能な収納部１３内には、無線式の血圧計１６が収納される。
【００２１】
そして、開閉可能な収納部１３と閉め切り収納部１４とを正面側から同時に閉じた状態にすることができるサイズの一枚の引き戸板１７が、その上端側をカウンター７側に、下端側を底板１１側に係合保持させて正面から見て左右方向に移動できるように備えられている。
【００２２】
また、引き戸板１７の移動範囲を規制するストッパー１８，１９が備えられ、図１（ロ）に示すように、開閉可能な収納部１３の側から閉め切り収納部１４の側への引き戸板１７の移動中におけるストッパー１８による停止によって、開閉可能な収納部１３が開、閉め切り収納部１４が閉のまま、図１（イ）に示すように、閉め切り収納部１４の側から開閉可能な収納部１３の側への引き戸板１７の移動中におけるストッパー１９による停止によって、開閉可能な収納部１３が閉、閉め切り収納部１４も閉のままとなるようにされている。
【００２３】
更に、引き戸板１７は、左右方向に動かさなくても、手前側に取り外せるようになされていて、取り外すことにより、図２（イ）に示すように、閉め切り収納部１４を正面側に開放することができるようになされている。
【００２４】
具体的には、図３に示すように、底板１１の正面側の上面部に下レール部２０が設けられると共に、カウンター７の正面側の下面部に上レール部２１が設けられ、引き戸板１７には、その下端側に、下レール部係合部としての左右のローラー２２，２２が備られると共に、上端側に、上レール部係合部としての左右の軸部２３，２３が備えられ、引き戸板１７は、ローラー２２，２２が下レール部２０に、軸部２３，２３が上レール部２１に係合された状態で、左右方向に移動することができるようになされている。
【００２５】
そして、各軸部２３は、図３（ハ）に示すように、バネ２４の付勢力に抗して下方に変位することができるように、引き戸板１７の上端部から上方に突出して備えられており、図４（イ）（ロ）に示すように、上下のレール部２０，２１と係合している引き戸板１７を、上昇変位させることにより、軸部２３が上レール部２１に押されてバネ２４の付勢力に抗して下方に変位をしてローラー２２と下レール部２０との係合が解除され、その状態で、図４（ハ）に示すように、引き戸板１７を、軸部２３と上レール部２１との係合部を中心に手前側に回動させ、図４（ニ）に示すように、下方に引くことにより、軸部２３と上レール部２１との係合が解除されて引き戸板１７を取り外すことができるようになされている。
【００２６】
また、本実施形態では、図３（イ）（ハ）から明らかなように、引き戸板１７のローラー２２を下レール部２０に係合させ、軸部２３を上レール部２１に係合させた状態で、軸部２３は上レール部２１によって、バネ２４による更なる上方への突出を阻止されるようになされていて、即ち、引き戸板１７は、取付け状態において、上下のレール部２０，２１間でバネ２４の付勢力によって突っ張り状態となっていて、それにより、引き戸板１７が移動中にガタついたり不本意に外れてしまうのをより確実に阻止することができるようになされている。
【００２７】
上記の便器脇カウンター下の収納構造によれば、便器１の脇のカウンター７と底板１１との間の閉め切り収納部１４内にコンセント１５と、該コンセント１５に接続される健康計測機器類からのケーブル類とが収納され、該閉め切り収納部１４はその正面側が引き戸板１７によって閉じられているので、健康計測機器類からのケーブル類を隠蔽状態に収納することができ、従ってまた、手洗い場２の下の収納部３を一般的な収納に不都合なく使用することができるようになり、又は、手洗い場とその下の収納を省略することも可能になる。
【００２８】
しかも、引き戸板１７とストッパー１８，１９との作用により、開閉可能な収納部１３に対する開閉操作において、閉め切り収納部１４の正面側が開いてしまうことがなく、閉め切り収納部１４内のコンセントやケーブル類等が外に露出してしまうのを防いで、隠蔽状態を確実なものにすることができる。
【００２９】
加えて、開閉可能な収納部１３は引き戸板１７で開閉するようになされて、血圧計１６は開閉可能な収納部１３内に収納されているから、開閉可能な収納部１３を開けるために引き戸板１７を移動させても、その移動の勢いで内部の血圧計１６が外に転げ出るということがなく、無線式の血圧計１６を収納するものでありながら、便器１内への落下による水没や、床面１０への落下による衝撃で故障や損傷してしまうのを防ぐことができる。
【００３０】
更に、引き戸板１７は、手前側に取り外せるようになされていて、取り外すことにより、閉め切り収納部１４の正面側を開放することができるようになされているので、メンテナンスや修理の際は、引き戸板１７を手前側に取り外して閉め切り収納部１４を開き、コンセント１５や接続部、ケーブル類に対するメンテナンスや修理を行うことができる。
【００３１】
特に、引き戸板１７が開閉可能な収納部１３と閉め切り収納部１４とを同時に閉じた状態にすることができるサイズに設計されていて、カウンター７下の収納部の外観をスッキリとしたものにすることができるなかで、手前側に取り外せるようになっているので、閉め切り収納部１４を開くために引き戸板１７を左右方向に大きく移動させる必要がなく、閉め切り収納部１４を小スペースにて開閉することができる。
【００３２】
また、開閉可能な収納部１３が便器１の前後方向において前側、閉め切り収納部１４が後側に隣り合って備えられ、前側の開閉可能な収納部１３よりも前側に隣り合って、紙巻器９が備えられているので、開閉可能な収納部１３に対する血圧計１６の出し入れを容易に行うことができると共に、紙巻器９からのトイレットペーパーの引出し操作も容易にすることができる。
【００３３】
更に、引き戸板１７の上端部に、バネ２４の付勢力に抗して下方に変位することのできる軸部２３，２３が、上レール部係合部として、上方突出状態に備えられているので、引き戸板１７を、上下方向へのガタツキの抑制された取付け状態にすることができて左右方向への移動をスムーズなものにすることができ、しかも、引き戸板１７の不本意な外れを防ぐことができる。
【図面の簡単な説明】
【００３４】
【図１】実施形態の便器脇カウンター下の収納構造を示すもので、図（イ）は開閉可能な収納部を引き戸板で閉じた状態の正面図、図（ロ）は開いた状態の正面図である。
【図２】図（イ）は引き戸板を取り外した状態の正面図、図（ロ）は引き戸板の正面図である。
【図３】図（イ）は便器脇カウンター下の収納構造の側面図、図（ロ）は引き戸板を取り外した状態の側面図、図（ハ）は引き戸板の側面図である。
【図４】図（イ）〜図（ニ）は、引き戸板の取外し方法を順次に示す側面図である。
【図５】健康計測機能を備えたトイレを示すもので、図（イ）は平面図、図（ロ）は側面図である。
【符号の説明】
【００３５】
１…便器
４…体重計（健康計測器）
６…尿糖計測器（健康計測器）
７…カウンター
８…計測値表示パネル（健康計測器）
９…紙巻器
１１…底板
１２…仕切り
１３…開閉可能な収納部
１４…閉め切り収納部
１５…コンセント
１６…無線式血圧計
１７…引き戸板
１８，１９…ストッパー
２０…下レール部
２１…上レール部
２２…ローラー（下レール部係合部）
２３…軸部（上レール部係合部）
２４…バネ
【図１】
0005123061.tif 000002
【図２】
0005123061.tif 000003
【図３】
0005123061.tif 000004
【図４】
0005123061.tif 000005
【図５】
0005123061.tif 000006